(57)【要約】【課題】    冷房及び／又は暖房された部屋の内部空間で過ごす人が体調を崩すことがないかそれを減少させることができる空調装置を提供する。【解決手段】内部に部屋を有する建物の該部屋を冷房及び／又は暖房する空調装置であって、該部屋を規定する隔壁により仕切られる両空間のうち該部屋の内部空間とは反対の空間である隣接空間に存する雰囲気を熱媒体により冷却又は加熱する熱交換手段を、備えてなる、空調装置である。前記熱交換手段が、前記隣接空間に配設されるものであってもよい。【選択図】  図１
2007085679.tif 000002
【特許請求の範囲】
【請求項１】
内部に部屋を有する建物の該部屋を冷房及び／又は暖房する空調装置であって、
該部屋を規定する隔壁により仕切られる両空間のうち該部屋の内部空間とは反対の空間である隣接空間に存する雰囲気を熱媒体により冷却又は加熱する熱交換手段を、備えてなる、空調装置。
【請求項２】
前記熱交換手段が、前記隣接空間に配設されるものである、請求項１に記載の空調装置。
【請求項３】
前記隣接空間が、前記部屋の床下空間又は屋根裏空間である、請求項１又は２に記載の空調装置。
【請求項４】
前記熱媒体が地下水又は井戸水である、請求項１乃至３のいずれか１に記載の空調装置。
【請求項５】
前記雰囲気を前記熱交換手段に流通させる流通手段を、さらに備えてなる、請求項１乃至４のいずれか１に記載の空調装置。
【請求項６】
請求項１乃至５のいずれか１に記載の空調装置を備えるものである、前記建物。
【請求項７】
前記部屋と前記隣接空間とを連通させる連通口が前記隔壁に形成されたものである、請求項６に記載の建物。
【請求項８】
前記連通口を通じて前記雰囲気を前記部屋へ移送する移送手段を、さらに備えてなる、請求項７に記載の建物。
【発明の詳細な説明】
【技術分野】
【０００１】
本発明は、建物の部屋を冷房及び／又は暖房する空調装置に関し、より詳細には、該部屋の内部空間を優しく緩やかに冷房及び／又は暖房することができる空調装置に関する。
【背景技術】
【０００２】
建物が有する部屋を冷房したり暖房するための空調装置は様々なものが用いられている（例えば、特許文献１参照）。
特許文献１には、「熱交換器の部分に生じる結露が建物に悪影響を及ぼすことがなく、しかもまた、リフォ−ムのしやすい空調技術」（特許文献１中、要約書の課題部分）として「熱源となる第１の空調機５０を建物の外部に配置するだけでなく、その第１の空調機５０に連ながり、熱交換器７２０および送風手段７１０を少なくとも含む第２の空調機７０をも建物の外部に配置する。また、第２の空調機７０から建物内の各部屋に至る間に、第２の空調機７０から送られる調和空気を溜めるチャンバ−ボックス９０を設ける」（特許文献１中、要約書の解決手段部分）ようにした空調装置が開示されている。このように空調装置を構成することで「それら両空調機を建物の外部に配置していることから、熱媒配管の作業が容易であり、また、新たなリフォ−ム時に熱媒配管を傷めるおそれもない。さらに、熱交換の個所が建物の外部に位置するので、建物側、つまり建物の内部あるいは壁の中などに、熱交換器部分の結露に起因する漏水などの不具合を生じることもない。さらには、リフォ−ムに際しては、リフォ−ムすべき建物に対し、第１および第２の両空調機が両方共に分離されているため、リフォ−ムの自由度が増し、その作業も容易であり、リフォ−ムに要するコストも有効に低減することができる。」（特許文献１中、段落番号０００８）という効果を奏するものである。
【０００３】
【特許文献１】特開２００４−２００４３号公報（例えば、要約書の課題部分及び解決手段、発明の詳細な説明中の段落番号０００７〜００１０等）
【発明の開示】
【発明が解決しようとする課題】
【０００４】
しかしながら、特許文献１に記載された空調装置等のような従来から知られている空調装置は、冷房及び／又は暖房する対象の部屋に空調設備により生成された冷気又は暖気を直接導入するものであり、冷房及び／又は暖房することで該部屋の内部空間温度を大幅に変化させるのに適したものであった。このため該部屋の内部空間で過ごす人が該内部空間の温度によっては体調を崩したり（例えば、過度に冷房して温度を下げすぎると風邪を引いたり冷房病やクーラ病になることがあり、過度に暖房して温度を上げすぎると皮膚や粘膜が乾燥して抵抗力が低下するといったことが生じうる。）、該部屋の内部空間で過ごす人が急激な温度変化を受けることで（例えば、該部屋の外部空間と内部空間との間を該人が行き来することで両空間の間に存する温度差によって温度変化を受けたり、空調装置の運転を断続することで該人が温度変化を受けたりする。）体温調節機能等に問題を生じて体調を崩すといったことがあった。
【０００５】
そこで、本発明においては、冷房及び／又は暖房された部屋の内部空間で過ごす人が体調を崩すことがないかそれを減少させることができる空調装置を提供することを目的とする。
【課題を解決するための手段】
【０００６】
本発明の空調装置（以下、「本装置」という。）は、内部に部屋を有する建物の該部屋を冷房及び／又は暖房する空調装置であって、該部屋を規定する隔壁により仕切られる両空間のうち該部屋の内部空間とは反対の空間である隣接空間に存する雰囲気を熱媒体により冷却又は加熱する熱交換手段を、備えてなる、空調装置である。
ここに部屋を規定する「隔壁」とは、その両側に空間を仕切ることにより部屋を規定することができるものであればよく、天井、床、壁等を広く含むものである。
このような本装置によれば、部屋を規定する隔壁により仕切られる両空間のうち該部屋の内部空間とは反対の空間である隣接空間に存する雰囲気が、熱交換手段による熱交換（雰囲気と熱媒体との間での熱交換）により冷却又は加熱されることにより、該部屋を間接的（例えば、隔壁の熱伝導や、該部屋と隣接空間との間に生じる雰囲気の流通等による。）に冷房（該雰囲気が冷却される場合）及び／又は暖房（該雰囲気が加熱される場合）することができる。このように本装置は隣接空間に存する雰囲気を冷却又は加熱することで該部屋を間接的に冷房及び／又は暖房するので、該部屋（冷房及び／又は暖房する対象の部屋）に空調設備により生成された冷気又は暖気を直接導入するものと異なり、該部屋の内部空間温度を大幅に変化させることがない。このため本装置は、前述したような部屋の内部空間で過ごす人が該内部空間の温度が低すぎたり又は高すぎることによって体調を崩したり、部屋の内部空間で過ごす人が急激な温度変化を受けることで体温調節機能等に問題を生じて体調を崩すといったことを防止又は減少させることができる。
【０００７】
前記熱交換手段が、前記隣接空間に配設されるものであってもよい。
熱交換手段を隣接空間以外の場所に配設し、隣接空間に存する雰囲気を冷却又は加熱する場合に比し、こうすることで熱交換手段と隣接空間との間で該雰囲気を流通させるためのダクトを不要又は短くすることができ、該ダクトを該雰囲気が流通することによる熱損失（雰囲気を冷却する場合にはダクトを流通することで温められたり、雰囲気を加熱する場合にはダクトを流通することで冷えることをいう。）を防止又は減少させることができる。さらに、こうすることで隣接空間に存する雰囲気に熱交換手段が接するので、熱交換手段の表面からの吸熱（雰囲気の冷却時）又は放熱（雰囲気の加熱時）による損失が無駄にならない（これらの吸熱や放熱は雰囲気を冷却又は加熱するのに有効である。）。
【０００８】
前記隣接空間が、前記部屋の床下空間又は屋根裏空間であってもよい。
隣接空間としては、前記部屋を規定する隔壁により仕切られる両空間のうち前記部屋の内部空間とは反対の空間であれば何ら制限されるものではなく、例えば、床下空間、屋根裏空間、壁の内部空間等を一例として例示することができる。とりわけ前記隣接空間を前記部屋の床下空間又は屋根裏空間とすれば、通常、これら床下空間や屋根裏空間は広い面積で部屋に面することが多いので、これら床下空間や屋根裏空間（隣接空間）に存する雰囲気を冷却又は加熱することにより、部屋を効果的に冷房及び／又は暖房することができる。加えて、前記部屋を冷房する必要があるときには（例えば夏季）、屋根裏空間の雰囲気温度が高くなっていることが多く（屋根裏空間に熱気がこもる）、この高温の屋根裏空間の雰囲気により部屋の温度が上昇する問題がある。このため屋根裏空間の雰囲気を本装置により冷却することで、高温の屋根裏空間の雰囲気によるかかる問題を防止又は減少させることができる。さらに、前記部屋を暖房する必要があるときには（例えば冬季）、前記部屋に居る人は足もとが冷たく感じることが多いので、床下空間の雰囲気を本装置により加熱することでかかる問題を防止又は減少させることができる。
また、熱交換手段を前記隣接空間に配設する場合であれば、前記隣接空間を前記部屋の床下空間又は屋根裏空間とすれば、通常、これら床下空間や屋根裏空間は十分広い空間を有することが多いので、熱交換手段の配設を容易ならしめたり配設の自由度を高めることができる。
【０００９】
前記熱媒体が地下水又は井戸水であってもよい。
季節変化等により気温は大きく変化するが（例えば、岡山県では、夏季では３０℃を超え、冬季では１０℃よりも低くなる。）、地下水又は井戸水の温度は季節が変化してもあまり変化しない（例えば、岡山県では、地下２０ｍ程度に存する地下水や井戸水は、夏季で１７℃、冬季で１６℃程度である。）。このため熱媒体として地下水や井戸水を用いて熱媒体（地下水や井戸水）と前記雰囲気とを熱交換させれば、夏季には前記雰囲気を冷却（前記部屋を冷房する）し、冬季には前記雰囲気を加熱（前記部屋を暖房する）することになる。
【００１０】
前記雰囲気を前記熱交換手段に流通させる流通手段を、さらに備えてなるものであってもよい。
隣接空間に存する雰囲気を熱交換手段に導く方法は、自然対流や自然風による流動によってもよいが、前記雰囲気を前記熱交換手段に流通させ人為的に導く流通手段を備えるようにすれば、多量の雰囲気を熱交換手段に導入することができ前記雰囲気を効果的に冷却又は加熱することができるので、一層効果的に前記部屋を冷房及び／又は暖房することができる。
流通手段としては、前記雰囲気を熱交換手段に流通させることができるものであれば何ら限定されないが、例えば、前記雰囲気を熱交換手段に向けて流通させるファン、ブロア、送風機等を例示することができる。
【００１１】
以上のように、本装置を備える建物（以下、「本建物」という。）においては、該建物の内部に存する部屋を規定する隔壁により仕切られる両空間のうち該部屋の内部空間とは反対の空間である隣接空間に存する雰囲気が、熱交換手段により冷却又は加熱されることで該部屋を間接的に冷房及び／又は暖房することができる。
また、本建物では、隔壁の熱伝導や、該部屋と隣接空間との間に意図せずに起こる雰囲気の流通等により該部屋を冷房及び／又は暖房するようにしても良いが、前記部屋と前記隣接空間とを連通させる連通口が前記隔壁に形成されるようにしてもよい（この連通口が隔壁に形成された本建物を、以下、「連通口本建物」という。）。こうすることで前記部屋と前記隣接空間との間に連通口を通じて雰囲気を流通させることができるので、前記隣接空間に存する雰囲気が冷却又は加熱されることで前記部屋を効果的に冷房及び／又は暖房することができる。
【００１２】
連通口本建物の場合、前記部屋と前記隣接空間との間の連通口を通じた雰囲気の流通は、自然対流や自然風による流動によってもよいが、前記連通口を通じて前記雰囲気を前記部屋へ移送する移送手段を備えるようにすれば、多量の雰囲気を前記部屋と前記隣接空間との間で流通させることができ、一層効果的に前記部屋を冷房及び／又は暖房することができる。
移送手段としては、前記連通口を通じて前記雰囲気を前記部屋へ移送することができるものであれば何ら限定されないが、例えば、前記連通口を通じて前記雰囲気を前記部屋へ移送するファン、ブロア、送風機等を例示することができる。
【発明を実施するための最良の形態】
【００１３】
以下、本発明の実施の形態を図面を参照して説明する。しかしながら、これらによって本発明は何ら制限されるものではない。
【００１４】
図１は、本装置（後述の空調装置Ａ及び空調装置Ｂ）が配設された建物３１を示す断面図（鉛直な平面による断面を示している。）であり、図２は図１の上部拡大図であり、図３は図１に配設された空調装置Ａの詳細図であり、図４は図１に配設された空調装置Ｂの詳細図である。そして、図５は、空調装置Ａ及び空調装置Ｂに用いられる熱交換器１１の一例を示す図（図５（ａ）は熱交換器１１の平面図であり、図５（ｂ）は熱交換器１１の正面図（具体的には、図５（ａ）中の矢印Ｃ方向から見た図である。）である。）であり、図６は図５（ｂ）のＢ−Ｂ断面図である。図１乃至図６を参照して、空調装置Ａ及び空調装置Ｂについて説明する。
なお、図中、鉛直上方向を矢印Ｄ１にて、そして鉛直下方向を矢印Ｄ２にて、それぞれ示す。
【００１５】
建物３１は、土地の表面に建設された３階建ての建物であり、基礎部分３３と、基礎部分３３の上部に構築された本体部３５と、本体部３５の上部に載置されるように構築された屋根３４と、を有してなる。本体部３５は、その内部に下方から１階部分に存する部屋（以下、「１階部屋」という。）３６と、２階部分に存する部屋（以下、「２階部屋」という。）３７と、３階部分に存する部屋（以下、「３階部屋」という。）３８と、の３つの居室を有している。
１階部屋３６は床３６ａと壁３６ｂと天井３６ｃとにより規定されており、２階部屋３７は床３７ａと壁３７ｂと天井３７ｃとにより規定されており、そして３階部屋３８は床３８ａと壁３８ｂと天井３８ｃとにより規定されている。
天井３８ｃと屋根３４との間の屋根裏空間４１には空調装置Ｂが配設され、床３７ａの下方（かつ天井３６ｃの上方）に存する床下空間４３には空調装置Ａが配設され、そして床３６ａの下方（かつ基礎部分３３の上方）に存する床下空間４５には空調装置Ａが配設されている。
【００１６】
空調装置Ａ及び空調装置Ｂのいずれも熱交換器１１（なお、空調装置Ｂは、２の熱交換器１１を有しているので、これらをそれぞれ熱交換器１１ａ、１１ｂとして示す。）を有しており、この熱交換器１１により雰囲気（屋根裏空間４１、床下空間４３及び床下空間４５に存する雰囲気）と地下水（熱媒体）とが熱交換することで該雰囲気が冷却又は加熱される。
まず、図５及び図６を参照して、熱交換器１１について説明する。熱交換器１１は管形熱交換器であり、具体的には、両端が閉じられた中空円筒形をした胴部（シェル）１３と、胴部（シェル）１３の内部空間１３ｒを通過する管部（チューブ）１５と、胴部（シェル）１３の内部空間１３ｒに配設された邪魔板１７と、を有している。
【００１７】
胴部１３は、両端（両底部）が開放された内部が中空の直円筒（直円柱）形状をした胴部本体１３ａと、胴部本体１３ａが形成する直円筒の両端（両底部）の一方を閉じるキャップ状のキャップ部材１３ｂと、該両端（両底部）の他方を閉じるキャップ状のキャップ部材１３ｃと、を有している。胴部本体１３ａが形成する直円筒の軸に沿った一方側の端部近傍には胴部１３の外部空間１２と内部空間１３ｒとを連通させる入口開口１３ｊが形成されると共に、胴部本体１３ａが形成する直円筒の軸に沿った他方側の端部近傍には胴部１３の外部空間１２と内部空間１３ｒとを連通させる出口開口１３ｋが形成されている。この入口開口１３ｊから内部空間１３ｒへ雰囲気が導入され、該導入された雰囲気が内部空間１３ｒを出口開口１３ｋに向けて流通する間に、後で詳述する管部１５と該導入された雰囲気との間で熱交換が行われる。
【００１８】
管部１５は、長手方向に対する垂直断面が円形状をした連続した中空のチューブ（樹脂材料の一つである塩化ビニル樹脂製）により形成されており、詳しくは、胴部本体１３ａが形成する直円筒の軸に略沿ってキャップ部材１３ｃを貫通して延びる往路管部１５ａと、胴部本体１３ａが形成する直円筒の軸に略沿ってキャップ部材１３ｃを貫通して延びる復路管部１５ｂと、往路管部１５ａの一端と復路管部１５ｂの一端とを連結する連結部１５ｃと、を有している。往路管部１５ａの他端（キャップ部材１３ｃから外部空間１２へ突出した部分）１５ａ１は管部１５への地下水の入口を構成し、復路管部１５ｂの他端（キャップ部材１３ｃから外部空間１２へ突出した部分）１５ｂ１は管部１５からの地下水の出口を構成する。
なお、前述のように、ここでは管部１５を樹脂材料（塩化ビニル樹脂）によって形成しているが、こうすることで樹脂材料（塩化ビニル樹脂）は腐食や錆の発生がないか少ないことから穴あきや破裂等を生じにくく長年安定して用いることができる。とりわけここに示すように熱交換器１１を屋根裏空間４１、床下空間４３及び床下空間４５に配設する場合、熱交換器１１（管部１５）の穴あきや破裂等によって水漏れが発生すると建物３１に大きな損害を生じたり、熱交換器１１（管部１５）の穴あきや破裂等の修理に大きな費用を要することから、このように穴あきや破裂等を生じにくく長年安定して用いることができることは極めて有用である。しかしながら管部１５を樹脂材料（塩化ビニル樹脂）にて必ず形成することを要するものではなく、通常の熱交換器のチューブのように金属（鋼、ステンレス鋼、アルミニウム、銅等）によって形成されてよいことは言うまでもない。
【００１９】
邪魔板１７は、内部空間１３ｒのうち主として往路管部１５ａと復路管部１５ｂとの間に配設されており、入口開口１３ｊから内部空間１３ｒへ導入された雰囲気が内部空間１３ｒを出口開口１３ｋに向かって流通する際の乱れや速度を増加させることにより、管部１５の表面における境膜伝熱係数を増加させるものである。
【００２０】
往路管部１５ａの他端１５ａ１、往路管部１５ａ、連結部１５ｃ、復路管部１５ｂそして復路管部１５ｂの他端１５ｂ１へと地下水を流通させる（無論、管部１５の内部流路を水は流通する。）と共に、入口開口１３ｊから内部空間１３ｒへ雰囲気（空気）を導入し内部空間１３ｒを出口開口１３ｋに向けて流す（無論、該雰囲気（空気）は内部空間１３ｒから出口開口１３ｋを経て排出される。）ことによって、このような熱交換器１１を用いることで、管部１５を流れる地下水と、内部空間１３ｒ（管部１５の外部）を流通する雰囲気（空気）と、の温度差により該地下水と該雰囲気（空気）との間で熱交換させることができる。即ち、該地下水の方が温度が高い場合には該雰囲気（空気）を温める（暖房）ことができ、逆に該地下水の方が温度が低い場合には該雰囲気（空気）を冷却（冷房）することができる。
【００２１】
次いで、空調装置Ａ及び空調装置Ｂについて詳しく説明する。
まず、空調装置Ａは、１の熱交換器１１を有して図３の如く構成されている。  熱交換器１１の入口開口１３ｊには中空管状の第１ダクト５１の一端５１ａが連結されると共に、熱交換器１１の出口開口１３ｋには中空管状の第２ダクト５３の一端５３ａが連結されている。第２ダクト５３の途中には送風機５５が配設されており、第２ダクト５３の上流部分５３ｐ１から下流部分５３ｐ２に向けて送風機５５は雰囲気（空気）を圧送する。このように送風機５５が第２ダクト５３の一端５３ａから他端５３ｂに向けて雰囲気（空気）を圧送することにより、空調装置Ａは、その周囲に存する雰囲気（空気）を第１ダクト５１の他端５１ｂから吸入し、第１ダクト５１、熱交換器１１、第２ダクト５３の上流部分５３ｐ１、送風機５５そして第２ダクト５３の下流部分５３ｐ２の順に移送し、最終的に第２ダクト５３の他端５３ｂから排出する。
一方、図示しないポンプにより汲み上げた地下水（採取場所は地下約２０ｍ）を、往路管部１５ａの他端１５ａ１へ圧送する（該ポンプから他端１５ａ１までの導管は図示を省略する。）。他端１５ａ１へ圧送された地下水は、前述のように、往路管部１５ａ、連結部１５ｃ、復路管部１５ｂの順で管部１５を通過し、最終的に復路管部１５ｂの他端１５ｂ１から吐出される。なお、ここでは図示していないが、復路管部１５ｂの他端１５ｂ１から吐出された地下水は、導管により池（いずれも図示せず）に放流される。
【００２２】
以上のように、空調装置Ａを用いれば、図示しないポンプにより汲み上げた地下水を管部１５に流通させると共に、送風機５５によって空調装置Ａの周囲に存する雰囲気（空気）を熱交換器１１の内部空間１３ｒに流通させることができるので、管部１５を流れる地下水と、内部空間１３ｒのうち管部１５の外部を流通する雰囲気（空気）と、の温度差により該地下水と該雰囲気（空気）との間で熱交換させることができる。これによって、該地下水の方が温度が高い場合（通常、冬季）には、第１ダクト５１の他端５１ｂから吸入される雰囲気（空気）の温度よりも第２ダクト５３の他端５３ｂから排出される雰囲気（空気）の温度を高くすることができる。逆に、該地下水の方が温度が低い場合（通常、夏季）には、第１ダクト５１の他端５１ｂから吸入される雰囲気（空気）の温度よりも第２ダクト５３の他端５３ｂから排出される雰囲気（空気）の温度を低くすることができる。
従って、このような空調装置Ａが配設された床下空間４３及び床下空間４５に存する雰囲気（空気）は、地下水の方が温度が高い場合（通常、冬季。例えば、地下水は１６℃、雰囲気（空気）は５℃）には加熱され（第２ダクト５３の他端５３ｂから排出される雰囲気（空気）温度は、例えば、１２℃〜１５℃程度である。）、地下水の方が温度が低い場合（通常、夏季。例えば、地下水は１７℃、雰囲気（空気）は３０℃）には冷却（第２ダクト５３の他端５３ｂから排出される雰囲気（空気）温度は、例えば、２１℃〜２３℃程度である。）されることができる（冬季、夏季等の季節を通じて、地下水の温度はほとんど変化しないため、管部１５の外面は１７℃〜２２℃程度に保たれる。）。
地下水の方が温度が高い場合（通常、冬季）に床下空間４３に存する雰囲気（空気）が加熱されることで、２階部屋３７を間接的（例えば、床３７ａの熱伝導や、２階部屋３７と床下空間４３との間に生じる雰囲気の流通等）に暖房することができる。そして、地下水の方が温度が低い場合（通常、夏季）に床下空間４３に存する雰囲気（空気）が冷却されることで、２階部屋３７を間接的（例えば、床３７ａの熱伝導や、２階部屋３７と床下空間４３との間に生じる雰囲気の流通等）に冷房することができる。同様に、地下水の方が温度が高い場合（通常、冬季）に床下空間４５に存する雰囲気（空気）が加熱されることで、１階部屋３６を間接的（例えば、床３６ａの熱伝導や、１階部屋３６と床下空間４５との間に生じる雰囲気の流通等）に暖房することができる。そして、地下水の方が温度が低い場合（通常、夏季）に床下空間４５に存する雰囲気（空気）が冷却されることで、１階部屋３６を間接的（例えば、床３６ａの熱伝導や、１階部屋３６と床下空間４５との間に生じる雰囲気の流通等）に冷房することができる。
【００２３】
空調装置Ｂは、２の熱交換器１１ａ、１１ｂ（直列に連結されている。なお、２の熱交換器１１ａ、１１ｂのいずれも、上で詳述した熱交換器１１と同様のものである。）を有して図４の如く構成されている。熱交換器１１ａの入口開口１３ｊａには中空管状の第１ダクト５１の一端５１ａが連結されると共に、熱交換器１１ａの出口開口１３ｋａには中空管状の第２ダクト５３の一端５３ａが連結されている。第２ダクト５３の途中には送風機５５が配設されており、第２ダクト５３の上流部分５３ｐ１から下流部分５３ｐ２に向けて送風機５５は雰囲気（空気）を圧送する。第２ダクト５３の他端５３ｂは熱交換器１１ｂの入口開口１３ｊｂに連結されると共に、熱交換器１１ｂの出口開口１３ｋｂには「Ｔ」の字状の中空管状の第３ダクト５７が連結されている。第３ダクト５７は、熱交換器１１ｂの出口開口１３ｋｂに一端が連結された中空管状（両端開放）の第１部分５７ａと、第１部分５７ａの他端に一端が連結された中空管状（両端開放）の第２部分５７ｂと、第１部分５７ａの他端に一端が連結された中空管状（両端開放）の第３部分５７ｃと、を有している。送風機５５が第２ダクト５３の一端５３ａから他端５３ｂに向けて雰囲気（空気）を圧送することにより、空調装置Ｂは、その周囲に存する雰囲気（空気）を第１ダクト５１の他端５１ｂから吸入し、第１ダクト５１、熱交換器１１ａ、第２ダクト５３の上流部分５３ｐ１、送風機５５、第２ダクト５３の下流部分５３ｐ２、熱交換器１１ｂそして第１部分５７ａの順に流動し、第２部分５７ｂの他端と、第３部分５７ｃの他端と、の両方から最終的に排出される。
一方、図示しないポンプにより汲み上げた地下水（採取場所は地下約２０ｍ）を、熱交換器１１ａの往路管部１５ａの他端１５ａ１ａへ圧送する（該ポンプから他端１５ａ１ａまでの導管は図示を省略する。）。他端１５ａ１ａへ圧送された地下水は、前述のように、熱交換器１１ａの往路管部１５ａ、連結部１５ｃ、復路管部１５ｂの順で管部１５を通過し、最終的に復路管部１５ｂの他端１５ｂ１ａから吐出される。他端１５ｂ１ａから吐出された地下水は、連結管１８により熱交換器１１ｂの往路管部１５ａの他端１５ａ１ｂへ装入され、他端１５ａ１ｂへ装入された地下水は、前述のように、熱交換器１１ｂの往路管部１５ａ、連結部１５ｃ、復路管部１５ｂの順で管部１５を通過し、最終的に復路管部１５ｂの他端１５ｂ１ｂから吐出される。なお、ここでは図示していないが、他端１５ｂ１ｂから吐出された地下水は、導管により池（いずれも図示せず）に放流される。
【００２４】
以上のように、空調装置Ｂを用いれば、図示しないポンプにより汲み上げた地下水を熱交換器１１ａの管部１５と熱交換器１１ｂの管部１５とに流通させる（ここでは地下水は熱交換器１１ａの管部１５を通過した後、さらに熱交換器１１ｂの管部１５を通過する。）と共に、送風機５５によって空調装置Ｂの周囲に存する雰囲気（空気）を熱交換器１１ａの内部空間１３ｒと熱交換器１１ｂの内部空間１３ｒとに流通させる（ここでは空調装置Ｂの周囲に存する雰囲気（空気）は熱交換器１１ａの内部空間１３ｒを通過した後、さらに熱交換器１１ｂの内部空間１３ｒを通過する。）ことができるので、熱交換器１１ａ及び熱交換器１１ｂの管部１５を流れる地下水と、熱交換器１１ａ及び熱交換器１１ｂの内部空間１３ｒのうち管部１５の外部を流通する雰囲気（空気）と、の温度差により該地下水と該雰囲気（空気）との間で熱交換させることができる。これによって、該地下水の方が温度が高い場合（通常、冬季）には、第１ダクト５１の他端５１ｂから吸入される雰囲気（空気）の温度よりも第３ダクト５７（第２部分５７ｂの他端と第３部分５７ｃの他端）から排出される雰囲気（空気）の温度を高くすることができる。逆に、該地下水の方が温度が低い場合（通常、夏季）には、第１ダクト５１の他端５１ｂから吸入される雰囲気（空気）の温度よりも第３ダクト５７（第２部分５７ｂの他端と第３部分５７ｃの他端）から排出される雰囲気（空気）の温度を低くすることができる。
従って、このような空調装置Ｂが配設された屋根裏空間４１に存する雰囲気（空気）は、地下水の方が温度が高い場合（通常、冬季。例えば、地下水は１６℃、雰囲気（空気）は５℃）には加熱され（第３ダクト５７（第２部分５７ｂの他端と第３部分５７ｃの他端）から排出される雰囲気（空気）温度は、例えば、１２℃〜１５℃程度である。）、地下水の方が温度が低い場合（通常、夏季。例えば、地下水は１７℃、雰囲気（空気）は３０℃）には冷却（第３ダクト５７（第２部分５７ｂの他端と第３部分５７ｃの他端）から排出される雰囲気（空気）温度は、例えば、２１℃〜２３℃程度である。）されることができる（冬季、夏季等の季節を通じて、地下水の温度はほとんど変化しないため、熱交換器１１ａ、１１ｂの管部１５の外面は１７℃〜２２℃程度に保たれる。）。地下水の方が温度が高い場合（通常、冬季）に屋根裏空間４１に存する雰囲気（空気）が加熱されることで、３階部屋３８を間接的（例えば、天井３８ｃの熱伝導や、３階部屋３８と屋根裏空間４１との間に生じる雰囲気の流通等）に暖房することができる。そして、地下水の方が温度が低い場合（通常、夏季）に屋根裏空間４１に存する雰囲気（空気）が冷却されることで、３階部屋３８を間接的（例えば、天井３８ｃの熱伝導や、３階部屋３８と屋根裏空間４１との間に生じる雰囲気の流通等）に冷房することができる。
【００２５】
そして、ここでは天井３８ｃには、第１連通口６１と第２連通口６３とが形成されている（特に図２参照）。第１連通口６１及び第２連通口６３は、３階部屋３８と屋根裏空間４１とを連通させるものであり、３階部屋３８の内部から見たときに開口部分が見えることによる美感を損ねる問題や、屋根裏空間４１から３階部屋３８へ害虫等が進入する問題等を防止するため、天井３８ｃのうち第１連通口６１及び第２連通口６３が位置する部分には、気体を自由に流通させることができる材料（例えば、布、スポンジ、網状物等）により形成された隠し板６１ａ、６３ａが取り付けられている。
中空管状の移送ダクト６５が、その一端６５ａ（移送ダクト６５の一端６５ａ）が第２連通口６３に連通するよう屋根裏空間４１に配設されている。移送ダクト６５の他端６５ｂには移送送風機６７が配設されている（なお、図示を容易にするため移送送風機６７の内部構造は図示を省略している。）。移送ダクト６５は、第２連通口６３と移送送風機６７との間を連通させている。移送送風機６７は、移送送風機６７の周囲の雰囲気（空気）を吸入し移送ダクト６５の他端６５ｂへ吐出する。移送ダクト６５の他端６５ｂへ吐出された雰囲気（空気）は、移送ダクト６５の内部を一端６５ａに向けて移動し、最終的には第２連通口６３から３階部屋３８へ流入する。このように屋根裏空間４１に存する雰囲気（空気）は、移送送風機６７及び移送ダクト６５によって第２連通口６３から３階部屋３８へ吐出されるが、この屋根裏空間４１から３階部屋３８への雰囲気（空気）の移動（吐出）に対応し、３階部屋３８から屋根裏空間４１へ第１連通口６１を経由して雰囲気（空気）が移動する。即ち、これらの雰囲気（空気）の移動により、３階部屋３８と屋根裏空間４１との間で雰囲気（空気）が循環する。
【００２６】
以上のように建物３１の屋根裏空間４１に配設された空調装置Ｂは、内部に部屋たる３階部屋３８を有する建物３１の該部屋（３階部屋３８）を冷房（とりわけ夏季）及び暖房（とりわけ冬季）する空調装置であって、該部屋（３階部屋３８）を規定する隔壁たる天井３８ｃにより仕切られる両空間（３階部屋３８と屋根裏空間４１）のうち該部屋（３階部屋３８）の内部空間とは反対の空間である隣接空間たる屋根裏空間４１に存する雰囲気（空気）を熱媒体たる地下水により冷却又は加熱する熱交換手段たる熱交換器１１ａ、１１ｂを、備えてなる、空調装置である。
そして、熱交換手段たる熱交換器１１ａ、１１ｂが、前記隣接空間たる屋根裏空間４１に配設されている。
また、前記隣接空間が、前記部屋（３階部屋３８）の屋根裏空間４１である。
加えて、前記熱媒体が地下水である。
空調装置Ｂは、前記雰囲気（屋根裏空間４１に存する雰囲気（空気））を前記熱交換手段（熱交換器１１ａ、１１ｂ）に流通させる流通手段たる送風機５５をさらに備えてなる。
建物３１は空調装置Ｂを備えている。そして、前記部屋（３階部屋３８）と前記隣接空間（屋根裏空間４１）とを連通させる連通口（第１連通口６１、第２連通口６３）が前記隔壁（天井３８ｃ）に形成されている。さらに、前記連通口たる第２連通口６３を通じて前記雰囲気（屋根裏空間４１に存する雰囲気（空気））を前記部屋（３階部屋３８）へ移送する移送手段（ここでは移送送風機６７及び移送ダクト６５により構成される。）をさらに備えている。
【００２７】
建物３１の床下空間４３に配設された空調装置Ａは、内部に部屋たる２階部屋３７を有する建物３１の該部屋（２階部屋３７）を冷房（とりわけ夏季）及び暖房（とりわけ冬季）する空調装置であって、該部屋（２階部屋３７）を規定する隔壁たる床３７ａにより仕切られる両空間（２階部屋３７と床下空間４３）のうち該部屋（２階部屋３７）の内部空間とは反対の空間である隣接空間たる床下空間４３に存する雰囲気（空気）を熱媒体たる地下水により冷却又は加熱する熱交換手段たる熱交換器１１を、備えてなる、空調装置である。
そして、熱交換手段たる熱交換器１１が、前記隣接空間たる床下空間４３に配設されている。
また、前記隣接空間が、前記部屋（２階部屋３７）の床下空間４３である。
加えて、前記熱媒体が地下水である。
床下空間４３に配設された空調装置Ａは、前記雰囲気（床下空間４３に存する雰囲気（空気））を前記熱交換手段（熱交換器１１）に流通させる流通手段たる送風機５５をさらに備えてなる。
建物３１は、床下空間４３に配設された空調装置Ａを備えている。
【００２８】
建物３１の床下空間４５に配設された空調装置Ａは、内部に部屋たる１階部屋３６を有する建物３１の該部屋（１階部屋３６）を冷房（とりわけ夏季）及び暖房（とりわけ冬季）する空調装置であって、該部屋（１階部屋３６）を規定する隔壁たる床３６ａにより仕切られる両空間（１階部屋３６と床下空間４５）のうち該部屋（１階部屋３６）の内部空間とは反対の空間である隣接空間たる床下空間４５に存する雰囲気（空気）を熱媒体たる地下水により冷却又は加熱する熱交換手段たる熱交換器１１を、備えてなる、空調装置である。
そして、熱交換手段たる熱交換器１１が、前記隣接空間たる床下空間４５に配設されている。
また、前記隣接空間が、前記部屋（１階部屋３６）の床下空間４５である。
加えて、前記熱媒体が地下水である。
床下空間４５に配設された空調装置Ａは、前記雰囲気（床下空間４５に存する雰囲気（空気））を前記熱交換手段（熱交換器１１）に流通させる流通手段たる送風機５５をさらに備えてなる。
建物３１は、床下空間４５に配設された空調装置Ａを備えている。
【００２９】
図７は、別の実施形態である、本装置（空調装置Ａ及び空調装置Ｂ）が配設された建物１３１を示す断面図（鉛直な平面による断面を示している。）である。図７を参照して、別の実施形態の本装置が配設された建物１３１について説明する。
建物１３１は、土地の表面に建設された２階建ての建物であり、基礎部分１３３と、基礎部分１３３の上部に構築された本体部１３５と、本体部１３５の上部に載置されるように構築された屋根１３４と、を有してなる。本体部１３５は、その内部に下方から１階部分に存するピロティ部分１３６（吹き抜け）と、２階部分に存する部屋（以下、「上部部屋」という。）１３８と、を有している。
上部部屋１３８は、床１３８ａと壁１３８ｂと天井１３８ｃとにより規定されている。
天井１３８ｃと屋根１３４との間の屋根裏空間１４１には、前述の空調装置Ｂと同じ空調装置Ｂが配設されている。そして床１３８ａの下方（かつピロティ部分１３６の天井１３６ｆの上方）に存する床下空間１４５には、前述の空調装置Ａと同じ空調装置Ａが配設されている。これら空調装置Ａ及び空調装置Ｂについては、既に詳しく説明したので、ここでは説明を省略する。
【００３０】
また、前述した建物３１と同様、天井１３８ｃには第１連通口６１と第２連通口６３とが形成されると共に、天井１３８ｃのうち第１連通口６１及び第２連通口６３が位置する部分には隠し板６１ａ、６３ａが取り付けられている。
そして、一端が第２連通口６３に連通する中空管状の移送ダクト６５と、移送ダクト６５の他端に取り付けられた移送送風機６７と、が屋根裏空間１４１に配設されている。
これら第１連通口６１、第２連通口６３、隠し板６１ａ、６３ａ、移送ダクト６５及び移送送風機６７は、前述した建物３１に配設されたこれらのものと同様であるので、ここでは説明を省略する。
【００３１】
このような空調装置Ｂが配設された屋根裏空間１４１に存する雰囲気（空気）は、前述した建物３１の場合と同様、地下水の方が温度が高い場合には加熱され、地下水の方が温度が低い場合には冷却されることができる。地下水の方が温度が高い場合（通常、冬季）に屋根裏空間１４１に存する雰囲気（空気）が加熱されることで、上部部屋１３８を間接的（例えば、天井１３８ｃの熱伝導や、上部部屋１３８と屋根裏空間１４１との間に生じる雰囲気の流通等による。）に暖房することができる。そして、地下水の方が温度が低い場合（通常、夏季）に屋根裏空間１４１に存する雰囲気（空気）が冷却されることで、上部部屋１３８を間接的（例えば、天井１３８ｃの熱伝導や、上部部屋１３８と屋根裏空間１４１との間に生じる雰囲気の流通等）に冷房することができる。
また、前述した建物３１の場合と同様、屋根裏空間１４１に存する雰囲気（空気）は、移送送風機６７及び移送ダクト６５によって第２連通口６３から上部部屋１３８へ吐出されるが、この屋根裏空間１４１から上部部屋１３８への雰囲気（空気）の移動（吐出）に対応し、上部部屋１３８から屋根裏空間１４１へ第１連通口６１を経由して雰囲気（空気）が移動する。即ち、これらの雰囲気（空気）の移動により、上部部屋１３８と屋根裏空間４１との間で雰囲気（空気）が循環する。
さらに、空調装置Ａが配設された床下空間１４５に存する雰囲気（空気）は、前述した建物３１の場合と同様、地下水の方が温度が高い場合には加熱され、地下水の方が温度が低い場合には冷却されることができる。地下水の方が温度が高い場合（通常、冬季）に床下空間１４５に存する雰囲気（空気）が加熱されることで、上部部屋１３８を間接的（例えば、床１３８ａの熱伝導や、上部部屋１３８と床下空間１４５との間に生じる雰囲気の流通等による。）に暖房することができる。そして、地下水の方が温度が低い場合（通常、夏季）に床下空間１４５に存する雰囲気（空気）が冷却されることで、上部部屋１３８を間接的（例えば、床１３８ａの熱伝導や、上部部屋１３８と床下空間１４５との間に生じる雰囲気の流通等）に冷房することができる。
【００３２】
以上のように建物１３１の屋根裏空間１４１に配設された空調装置Ｂは、内部に部屋たる上部部屋１３８を有する建物１３１の該部屋（上部部屋１３８）を冷房（とりわけ夏季）及び暖房（とりわけ冬季）する空調装置であって、該部屋（上部部屋１３８）を規定する隔壁たる天井１３８ｃにより仕切られる両空間（上部部屋１３８と屋根裏空間１４１）のうち該部屋（上部部屋１３８）の内部空間とは反対の空間である隣接空間たる屋根裏空間１４１に存する雰囲気（空気）を熱媒体たる地下水により冷却又は加熱する熱交換手段たる熱交換器１１ａ、１１ｂを、備えてなる、空調装置である。
そして、熱交換手段たる熱交換器１１ａ、１１ｂが、前記隣接空間たる屋根裏空間１４１に配設されている。
また、前記隣接空間が、前記部屋（上部部屋１３８）の屋根裏空間１４１である。
加えて、前記熱媒体が地下水である。
空調装置Ｂは、前記雰囲気（屋根裏空間１４１に存する雰囲気（空気））を前記熱交換手段（熱交換器１１ａ、１１ｂ）に流通させる流通手段たる送風機５５をさらに備えてなる。
建物３１は空調装置Ｂを備えている。そして、前記部屋（上部部屋１３８）と前記隣接空間（屋根裏空間１４１）とを連通させる連通口（第１連通口６１、第２連通口６３）が前記隔壁（天井１３８ｃ）に形成されている。さらに、前記連通口たる第２連通口６３を通じて前記雰囲気（屋根裏空間１４１に存する雰囲気（空気））を前記部屋（上部部屋１３８）へ移送する移送手段（ここでは移送送風機６７及び移送ダクト６５により構成される。）をさらに備えている。
【００３３】
建物１３１の床下空間１４５に配設された空調装置Ａは、内部に部屋たる上部部屋１３８を有する建物１３１の該部屋（上部部屋１３８）を冷房（とりわけ夏季）及び暖房（とりわけ冬季）する空調装置であって、該部屋（上部部屋１３８）を規定する隔壁たる床１３８ａにより仕切られる両空間（上部部屋１３８と床下空間１４５）のうち該部屋（上部部屋１３８）の内部空間とは反対の空間である隣接空間たる床下空間１４５に存する雰囲気（空気）を熱媒体たる地下水により冷却又は加熱する熱交換手段たる熱交換器１１を、備えてなる、空調装置である。
そして、熱交換手段たる熱交換器１１が、前記隣接空間たる床下空間１４５に配設されている。
また、前記隣接空間が、前記部屋（上部部屋１３８）の床下空間１４５である。
加えて、前記熱媒体が地下水である。
床下空間１４５に配設された空調装置Ａは、前記雰囲気（床下空間１４５に存する雰囲気（空気））を前記熱交換手段（熱交換器１１）に流通させる流通手段たる送風機５５をさらに備えてなる。
建物１３１は、床下空間１４５に配設された空調装置Ａを備えている。
以上のように、建物１３１の該部屋（上部部屋１３８）は、ここでは屋根裏空間１４１に配設された空調装置Ｂと、床下空間１４５に配設された空調装置Ａと、の両方の空調装置Ａ、Ｂによって冷房（とりわけ夏季）及び暖房（とりわけ冬季）される。
【００３４】
上述した例では、床下空間４３、４５、１４５には空調装置Ａを配設し、屋根裏空間４１、１４１には空調装置Ｂを配設した例を示したが、これに限定されるものではなく、床下空間に空調装置Ｂを配設したり、屋根裏空間に空調装置Ａを配設してよいことは言うまでもない。
このように本装置（空調装置Ａ、空調装置Ｂ）によれば、部屋の温度が低すぎたり又は高すぎることによって体調を崩したり、部屋の内部空間で過ごす人が急激な温度変化を受けることで体温調節機能等に問題を生じて体調を崩すといったことを防止又は減少させつつ、部屋の内部空間で過ごす人が受ける夏季の暑さや冬季の底冷えを緩和することができる。
また、本装置（空調装置Ａ、空調装置Ｂ）は、冷房や暖房によって部屋内部の雰囲気（空気）を汚すことがなく、健康で衛生的な冷房や暖房を提供することができる。
さらに、本装置（空調装置Ａ、空調装置Ｂ）が用いる熱媒体は地下水（季節を通じてほぼ一定温度）であり、冷房や暖房をする際に用いる熱媒体を加熱又は冷却するためのエネルギーを消費しない（このことは従来の冷房及び暖房の器具が消費していたエネルギーを大幅に減少（例えば、冷房時は従来の消費電力のうち７５％程度を、そして暖房時は従来の消費電力のうち３０％程度を削減することも可能である。）させることができる。また、これは地球温暖化を防止又は減少させることができる。）。
また、本装置（空調装置Ａ、空調装置Ｂ）は構造が簡単であることから、設置費用や維持費用が少なくてすみ経済的である。
【図面の簡単な説明】
【００３５】
【図１】本装置（空調装置Ａ、空調装置Ｂ）が配設された建物を示す断面図である。
【図２】図１の上部拡大図である。
【図３】空調装置Ａの詳細図である。
【図４】空調装置Ｂの詳細図である。
【図５】空調装置Ａ及び空調装置Ｂに用いられる熱交換器を示す図（図５（ａ）は熱交換器の平面図であり、図５（ｂ）は熱交換器の正面図である。）である。
【図６】図５（ｂ）のＢ−Ｂ断面図である。
【図７】別の実施形態の、本装置（空調装置Ａ、空調装置Ｂ）が配設された建物を示す断面図である。
【符号の説明】
【００３６】
１１、１１ａ、１１ｂ  熱交換器
１２            外部空間
１３            胴部
１３ａ          胴部本体
１３ｂ、１３ｃ  キャップ部材
１３ｊ、１３ｊａ、１３ｊｂ  入口開口
１３ｋ、１３ｋａ、１３ｋｂ  出口開口
１３ｒ          胴部の内部空間
１５            管部
１５ａ          往路管部
１５ａ１、１５ａ１ａ、１５ａ１ｂ  往路管部の他端
１５ｂ          復路管部
１５ｂ１、１５ｂ１ａ、１５ｂ１ｂ  復路管部の他端
１５ｃ          連結部
１７            邪魔板
１８            連結管
３１            建物
３３            基礎部分
３４            屋根
３５            本体部
３６            １階部屋
３６ａ          床
３６ｂ          壁
３６ｃ          天井
３７            ２階部屋
３７ａ          床
３７ｂ          壁
３７ｃ          天井
３８            ３階部屋
３８ａ          床
３８ｂ          壁
３８ｃ          天井
４１            屋根裏空間
４３、４５      床下空間
５１            第１ダクト
５１ａ          一端
５１ｂ          他端
５３            第２ダクト
５３ａ          一端
５３ｂ          他端
５３ｐ１        上流部分
５３ｐ２        下流部分
５５            送風機
５７            第３ダクト
５７ａ          第１部分
５７ｂ          第２部分
５７ｃ          第３部分
６１            第１連通口
６３            第２連通口
６１ａ、６３ａ  隠し板
６５            移送ダクト
６５ａ          一端
６５ｂ          他端
６７            移送送風機
１３１            建物
１３３            基礎部分
１３４            屋根
１３５            本体部
１３６            ピロティ部分
１３６ｆ          天井
１３８            上部部屋
１３８ａ          床
１３８ｂ          壁
１３８ｃ          天井
１４１            屋根裏空間
１４５            床下空間
【図１】
2007085679.tif 000003
【図２】
2007085679.tif 000004
【図３】
2007085679.tif 000005
【図４】
2007085679.tif 000006
【図５】
2007085679.tif 000007
【図６】
2007085679.tif 000008
【図７】
2007085679.tif 000009